(57)【要約】【課題】圧力損失及び騒音発生を抑制しつつ、通風路を上流側フィンによって閉鎖する際に操作ノブの操作荷重が大きくなるのを抑制する。【解決手段】複数の上流側フィン４１〜４５の１つは、上流側フィン軸４７に平行に延びる伝達軸部６２を有する特定上流側フィン４１とされる。操作ノブ７０は、下流側フィン３２に対し、下流側フィン軸３３の軸線方向へスライド可能に設けられる。操作ノブ７０は、伝達軸部６２を挟み込む一対のフォーク部７１を有し、スライド動作をフォーク部７１にて伝達軸部６２を通じて特定上流側フィン４１に伝達する。特定上流側フィン４１を、上流側フィン軸４７を有するフィン本体５４と、伝達軸部６２を有し、かつフィン本体５４が連結される伝達体６０とに分割する。伝達体６０を、フィン本体５４の上流側フィン軸４７から上流側へ偏倚した箇所で、支軸６３によりケース１０に傾動可能に支持する。【選択図】図２
2014111428.tif 000002
【特許請求の範囲】
【請求項１】
空調用空気の通風路を有するケースに対し、下流側フィン軸により傾動可能に支持された下流側フィンと、
前記下流側フィンよりも上流側で同下流側フィンに対し直交した状態で配置され、かつ上流側フィン軸により前記ケースに傾動可能にそれぞれ支持され、相互に連結された複数の上流側フィンからなり、前記上流側フィンの１つが、前記上流側フィン軸に平行に延びる伝達軸部を有する特定上流側フィンとされ、残りが通常上流側フィンとされた上流側フィン群と、
前記下流側フィンに対し、前記下流側フィン軸の軸線方向へスライド可能に設けられ、かつ前記伝達軸部を挟み込むフォーク部を有し、スライド動作を前記フォーク部にて前記伝達軸部を通じて前記特定上流側フィンに伝達する操作ノブと
を備え、前記通常上流側フィン及び前記特定上流側フィンにより前記通風路を閉鎖するようにした空調用レジスタであって、
前記特定上流側フィンが、前記上流側フィン軸を有するフィン本体と、前記伝達軸部を有し、かつ前記フィン本体が連結される伝達体とに分割され、前記伝達体が、前記フィン本体の前記上流側フィン軸から上流側へ偏倚した箇所で支軸により前記ケースに傾動可能に支持されていることを特徴とする空調用レジスタ。
【請求項２】
前記フィン本体には係合部が設けられる一方、前記伝達体には被係合部が設けられており、前記係合部が前記被係合部に係合されることで、前記フィン本体が前記伝達体に連結されている請求項１に記載の空調用レジスタ。
【請求項３】
前記係合部及び前記被係合部の一方は係合突部からなり、他方は孔又は凹部からなる請求項２に記載の空調用レジスタ。
【請求項４】
前記伝達体は、前記フィン本体を、前記上流側フィン軸の軸線方向についての両側から挟み込む一対の傾動板部を備え、
前記伝達軸部は前記両傾動板部間に架け渡され、
前記支軸は前記傾動板部毎に設けられている請求項１〜３のいずれか１つに記載の空調用レジスタ。
【発明の詳細な説明】
【技術分野】
【０００１】
本発明は、空調装置から送られてきて室内に吹き出す空調用空気の向きをフィンにより調整する空調用レジスタに関し、より詳しくは、フィンにより通風路を閉鎖する構造を有する空調用レジスタに関するものである。
【背景技術】
【０００２】
空調装置から送られてきて車室内に吹き出す空調用空気の向きを調整等するための空調用レジスタの一形態として、フィンによって通風路を閉鎖する構造を有するものが例えば特許文献１に記載されている。
【０００３】
この空調用レジスタは、ケース、下流側フィン、上流側フィン及び操作ノブを備えている。下流側フィンは、下流側フィン軸によりケースに傾動可能に配置されている。上流側フィンは、下流側フィンよりも上流側で同下流側フィンに対し直交した状態で配設され、上流側フィン軸によりケースに傾動可能に支持されている。操作ノブは、下流側フィンに対し、下流側フィン軸の軸線方向へスライド可能に装着されている。さらに、操作ノブのスライド操作を上流側フィンに伝達するために、操作ノブに設けられたラックが、上流側フィンに設けられたピニオンに噛み合わされている。
【０００４】
上記空調用レジスタでは、操作ノブに対し、下流側フィンの厚み方向へ向かう力が加えられると、下流側フィンが下流側フィン軸を支点として同方向へ傾動させられる。この際には、ラックが下流側フィンと一緒に傾動し、ピニオンの歯上を摺動する。ラックの動きはピニオンに伝達されず、上流側フィンは傾動されない。空調用空気は、傾動させられた下流側フィンに沿うことで流れ方向を変えられる。
【０００５】
操作ノブが下流側フィン上をスライド操作されると、ラックのピニオンとの噛み合い位置が変化し、上流側フィンが上流側フィン軸を支点として傾動させられる。上記スライド操作が操作ノブの通常可動領域で行なわれると、空調用空気は、傾動させられた上流側フィンに沿って流れることで流れ方向を変えられる。上記スライド操作が、上記通常可動領域を越えた特定可動領域で行なわれると、スライド操作が通常可動領域で行なわれた場合よりも上流側フィンが大きく傾動し、ケース内の通風路が上流側フィンによって閉鎖され、空調用空気がケースから吹き出さなくなる。
【０００６】
ところが、上記特許文献１のようにラック及びピニオンを用いたものでは、圧力損失の増大や騒音の発生を招く問題がある。これは、次の理由による。
・操作ノブの操作を通じて下流側フィンを厚み方向へ傾動させる際に、その下流側フィンの傾きに拘わらず、ラックをピニオンに噛み合わせようとすると、ラックの歯幅方向（下流側フィンの厚み方向）についての寸法が大きくなる。
【０００７】
・上流側フィンによって通風路を閉鎖するタイプの空調用レジスタでは、閉鎖しないタイプの空調用レジスタよりも上流側フィンが大きく傾動されることで通風路が閉鎖される。そのため、ラックの歯の並び方向（下流側フィン軸の軸線方向）についての寸法が大きくなる。
【０００８】
このように、歯幅方向（下流側フィンの厚み方向）にも、歯の並び方向（下流側フィン軸の軸線方向）にもラックの寸法が大きくなることから、ラックによる通風抵抗が大きくなり、圧力損失が増大したり騒音が生じたりする。
【０００９】
一方、上流側フィンによって通風路を閉鎖しないタイプの空調用レジスタにおいて、操作ノブのスライド操作を上流側フィンに伝達する機構として、例えば、特許文献２に記載されたものがある。この空調用レジスタでは、１つの上流側フィンが、上流側フィン軸に平行に延びる伝達軸部を有する。操作ノブが、伝達軸部を挟み込むフォーク部を有する。
【００１０】
特許文献２に記載された空調用レジスタでは、操作ノブに対し、下流側フィンの厚み方向へ向かう力が加えられると、フォーク部が伝達軸部を挟み込んだ状態で、下流側フィンと一緒に同方向へ傾動させられる。フォーク部の動きは伝達軸部に伝達されず、上流側フィンは傾動させられない。これに対し、操作ノブが下流側フィン上をスライド操作されると、伝達軸部がフォーク部によって押され、上流側フィンが上流側フィン軸を支点として傾動させられる。
【００１１】
特許文献２に記載された空調用レジスタでは、フォーク部が下流側フィンの傾きに拘らず、また上流側フィンの傾きに拘らず伝達軸部を挟み込む構造のため、下流側フィン軸の軸線方向についても下流側フィンの厚み方向についてもフォーク部の寸法を小さくすることが可能である。
【００１２】
そこで、上記フォーク部及び伝達軸部により、操作ノブのスライド操作を上流側フィンに伝達する構造を、上流側フィンによって通風路を閉鎖するタイプの空調用レジスタに適用することが考えられる。
【先行技術文献】
【特許文献】
【００１３】
【特許文献１】特許第４０５５６９３号公報
【特許文献２】特開２００９−１６６５１８号公報
【発明の概要】
【発明が解決しようとする課題】
【００１４】
ところが、通風路を上流側フィンによって閉鎖する際、閉鎖しないものよりも、操作ノブを大きくスライド操作して、フォーク部によって伝達軸部を上流側フィン軸の周りで大きく旋回させることで、上流側フィンを大きく傾動させる必要がある。この場合、通風路を閉鎖する際、上流側フィン軸の周りで伝達軸部を旋回させようとする力が小さくなる。そのため、操作ノブを大きな操作荷重でスライド操作しなければならなくなる。
【００１５】
本発明は、このような実情に鑑みてなされたものであって、その目的は、圧力損失及び騒音発生を抑制しつつ、通風路を上流側フィンによって閉鎖する際に操作ノブの操作荷重が大きくなるのを抑制することのできる空調用レジスタを提供することにある。
【課題を解決するための手段】
【００１６】
上記課題を解決する空調用レジスタは、空調用空気の通風路を有するケースに対し、下流側フィン軸により傾動可能に支持された下流側フィンと、前記下流側フィンよりも上流側で同下流側フィンに対し直交した状態で配置され、かつ上流側フィン軸により前記ケースに傾動可能にそれぞれ支持され、相互に連結された複数の上流側フィンからなり、前記上流側フィンの１つが、前記上流側フィン軸に平行に延びる伝達軸部を有する特定上流側フィンとされ、残りが通常上流側フィンとされた上流側フィン群と、前記下流側フィンに対し、前記下流側フィン軸の軸線方向へスライド可能に設けられ、かつ前記伝達軸部を挟み込むフォーク部を有し、スライド動作を前記フォーク部にて前記伝達軸部を通じて前記特定上流側フィンに伝達する操作ノブとを備え、前記通常上流側フィン及び前記特定上流側フィンにより前記通風路を閉鎖するようにした空調用レジスタであって、前記特定上流側フィンが、前記上流側フィン軸を有するフィン本体と、前記伝達軸部を有し、かつ前記フィン本体が連結される伝達体とに分割され、前記伝達体が、前記フィン本体の前記上流側フィン軸から上流側へ偏倚した箇所で支軸により前記ケースに傾動可能に支持されている。
【００１７】
上記の構成によれば、フォーク部によって伝達軸部を挟み込む構成が採られている。そのため、フォーク部には、支軸の周りを旋回する伝達軸部から外れない長さが通風方向に必要となるものの、伝達軸部との係合を確保するために、下流側フィン軸の軸線方向や下流側フィンの厚み方向にフォーク部を大きくする必要がない。従って、操作ノブのスライド操作を上流側フィンに伝達するための部位に起因する圧力損失及び騒音発生が抑制される。
【００１８】
また、伝達体の支軸が特定上流側フィンの上流側フィン軸から偏倚した箇所に位置していることから、操作ノブをスライド操作した場合、伝達軸部は支軸の周りでも上流側フィン軸の周りでも旋回する。また、支軸は上流側フィン軸よりも上流側に位置していることから、支軸の周りでの伝達軸部の旋回角度は、上流側フィン軸の周りでの伝達軸部の旋回角度よりも小さくなる。従って、フォーク部の少ない移動量で、伝達軸部を支軸の周りで小さな旋回角度旋回させ、上流側フィン軸を支点としてフィン本体を大きな角度傾動させて、通風路を閉鎖することが可能となる。操作ノブの移動量が少なくなることから、通風路を上流側フィンによって閉鎖する際に、上流側フィン軸の周りで伝達軸部を旋回させようとする力が小さくなりにくく、操作ノブの操作荷重が大きくなることが抑制される。
【００１９】
上記空調用レジスタにおいて、前記フィン本体には係合部が設けられる一方、前記伝達体には被係合部が設けられており、前記係合部が前記被係合部に係合されることで、前記フィン本体が前記伝達体に連結されていることが好ましい。
【００２０】
上記の構成によれば、係合部が被係合部に係合されることで、フィン本体が伝達体に連結される。操作ノブのスライド操作に応じ伝達体が支軸を支点として傾動されると、その傾動が被係合部及び係合部を介してフィン本体に伝達され、フィン本体が上流側フィン軸を支点として傾動される。
【００２１】
なお、上記係合部及び被係合部としては、例えば、一方が係合突部からなり、他方が孔又は凹部からなるものであってもよい。この場合には、係合突部が孔又は凹部に係合されることにより、フィン本体が伝達体に連結された状態となる。
【００２２】
上記空調用レジスタにおいて、前記伝達体は、前記フィン本体を、前記上流側フィン軸の軸線方向についての両側から挟み込む一対の傾動板部を備え、前記伝達軸部は前記両傾動板部間に架け渡され、前記支軸は前記傾動板部毎に設けられていることが好ましい。
【００２３】
上記の構成によれば、伝達体は、一対の傾動板部、伝達軸部及び一対の支軸が一体となった状態で作動する。すなわち、操作ノブが下流側フィン上を下流側フィン軸の軸線方向へスライド操作されると、伝達軸部がフォーク部によって押圧される。この際の押圧力が両傾動板部に伝達され、伝達体が両支軸を支点として傾動する。伝達体の傾動は、その伝達体に連結されたフィン本体に伝達され、同フィン本体が上流側フィン軸を支点として傾動させられる。
【発明の効果】
【００２４】
上記空調用レジスタによれば、圧力損失及び騒音発生を抑制しつつ、通風路を上流側フィンによって閉鎖する際に操作ノブの操作荷重が大きくなるのを抑制することができる。
【図面の簡単な説明】
【００２５】
【図１】空調用レジスタの第１実施形態において、各上流側フィンが略水平状態にされた空調用レジスタを示す斜視図。
【図２】図１の空調用レジスタの分解斜視図。
【図３】第１実施形態において、特定上流側フィンを構成するフィン本体及び伝達体と、これらが組付けられるケースの一部とを示す部分分解斜視図。
【図４】第１実施形態における特定上流側フィンの斜視図。
【図５】図１の空調用レジスタの側面図。
【図６】（Ａ）は図５から上流側フィンを抜き出して示す側断面図、（Ｂ）は（Ａ）から上流側フィン軸を抜き出して、それらの位置関係を示す側断面図。
【図７】図１の７−７線断面図。
【図８】図７の８−８線断面図。
【図９】図７の９−９線断面図。
【図１０】図７の１０−１０線断面図。
【図１１】第１実施形態において、フィン本体が略水平状態にされた特定上流側フィンを操作ノブとともに示す部分側面図。
【図１２】図７に対応する図であり、上流側フィンが下流側ほど高くなるように傾斜させられた空調用レジスタの内部構造を示す側断面図。
【図１３】第１実施形態において、フィン本体が下流側ほど高くなるように傾斜させられたときの各上流側フィン及びリンク機構の状態を示す部分側面図。
【図１４】第１実施形態において、フィン本体が下流側ほど高くなるように傾斜させられた特定上流側フィンを操作ノブとともに示す部分側面図。
【図１５】図７に対応する図であり、フィン本体が下流側ほど低くなるように傾斜させられた空調用レジスタの内部構造を示す側断面図。
【図１６】第１実施形態において、フィン本体が下流側ほど低くなるように傾斜させられたときの各上流側フィン及びリンク機構の状態を示す部分側面図。
【図１７】第１実施形態において、フィン本体が下流側ほど低くなるように傾斜させられた特定上流側フィンを操作ノブとともに示す部分側面図。
【図１８】図７に対応する図であり、通風路が上流側フィンによって閉鎖された空調用レジスタの内部構造を示す側断面図。
【図１９】第１実施形態において、通風路が閉鎖されたときの各上流側フィン及びリンク機構の状態を示す部分側面図。
【図２０】第１実施形態において、通風路が閉鎖されたときの特定上流側フィンを操作ノブとともに示す部分側面図。
【図２１】第１実施形態において、操作ノブがスライド操作された場合の作用を説明する図であり、支軸の周りでの伝達軸部の旋回角度γと、上流側フィン軸の周りでの係合突部の旋回角度δとを比較して示す部分側面図。
【図２２】上流側フィン軸が同一直線上に配列された比較例を示す図であり、通風路が開放されたときの各上流側フィンの状態を、閉鎖されたときの各上流側フィンの状態とともに示す側断面図。
【図２３】空調用レジスタの第２実施形態を示す図であり、同空調用レジスタの内部構造を示す部分平断面図。
【図２４】図２３の２４−２４線断面図。
【図２５】第２実施形態における特定上流側フィン（フィン本体、伝達体）、通常上流側フィン及び連結ロッドを分解して示す斜視図。
【図２６】第２実施形態において、操作ノブが基準位置へスライド操作されたときの特定上流側フィン及び一部の通常上流側フィンを示す部分平面図。
【図２７】図２６の状態から操作ノブが左方へスライド操作された場合の特定上流側フィン及び一部の通常上流側フィンを示す部分平面図。
【図２８】図２６の状態から操作ノブが右方へスライド操作された場合の特定上流側フィン及び一部の通常上流側フィンを示す部分平面図。
【図２９】図２８の状態から操作ノブがさらに右方へスライド操作されて通風路が閉鎖された場合の特定上流側フィン及び一部の通常上流側フィンを示す部分平面図。
【図３０】第２実施形態において、操作ノブがスライド操作された場合の作用を説明する図であり、支軸の周りでの伝達軸部の旋回角度γと、上流側フィン軸の周りでの係合突部の旋回角度δとを比較して示す部分平面図。
【発明を実施するための形態】
【００２６】
（第１実施形態）
以下、空調用レジスタの第１実施形態について、図１〜図２２を参照して説明する。この空調用レジスタは車両に用いられるものであり、横方向の寸法が縦方向の寸法よりも小さな薄型の形状をなしている。
【００２７】
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００２８】
車室内において、車両の前席（運転席及び助手席）の前方にはインストルメントパネルが設けられ、その車幅方向についての中央部、側部等には空調用レジスタが組込まれている。この空調用レジスタの主な機能は、一般的な非薄型の空調用レジスタと同様、空調装置から送られてきて車室内に吹き出す空調用空気の向きを調整すること、空調用空気の吹き出しを遮断すること等である。
【００２９】
図１及び図２に示すように、空調用レジスタは、ケース１０、下流側フィン群、上流側フィン群、操作ノブ７０及びリンク機構７５を備えている。次に、空調用レジスタを構成する各部について説明する。
【００３０】
＜ケース１０＞
ケース１０は、空調装置の通風ダクト（図示略）と、インストルメントパネルに設けられた開口（図示略）とを繋ぐためのものであり、上流側リテーナ１１、下流側リテーナ１２及びベゼル１３を備えている。ケース１０は、両端が開放され、かつ横方向（車幅方向）の寸法が縦方向（上下方向）の寸法よりも小さな略四角筒状をなしている。このケース１０の内部空間は、空調用空気Ａの流路（以下「通風路２０」という）を構成している。
【００３１】
ここで、通風路２０での空調用空気Ａの通風方向に直交する面上において、互いに直交する２方向の一方を第１方向とし、他方を第２方向とする。第１実施形態では、上下方向を第１方向とし、車幅方向（左右方向）を第２方向としている。なお、本明細書では、「通風方向」は、下流側フィン群及び上流側フィン群によって向きを変えられる前に空調用空気Ａが流れる方向をいうものとする。また、空調用レジスタの各部の位置関係を説明するに当たり、通風路２０の中央部を基準とし、中央部に近づく側を「内側」、「内方」等といい、中央部から遠ざかる側を「外側」、「外方」等というものとする。
【００３２】
上流側リテーナ１１は、ケース１０の最上流側部分を構成する部材である。下流側リテーナ１２は、上流側リテーナ１１の下流側に配置されており、自身の上流側端部において上流側リテーナ１１の下流側端部に連結されている。ベゼル１３は、空調用レジスタの意匠面を構成する部材であり、ケース１０の最下流部に位置し、下流側リテーナ１２に下流側から連結されている。ベゼル１３は縦長の略四角枠状をなしており、空調用空気Ａの吹出口１４を有している。
【００３３】
通風路２０は、ケース１０の４つの壁部によって取り囲まれている。これらの４つの壁部は、互いに略平行な状態で第２方向に相対向する一対の第１壁部２１と、互いに略平行な状態で第１方向に相対向する一対の第２壁部２２とからなる。
【００３４】
図５に示すように、ベゼル１３及び吹出口１４は、下側ほど下流側に位置するように両第２壁部２２に対し傾斜している。
図２及び図７に示すように、上側の第２壁部２２において、吹出口１４から上流側へ僅かに離れた箇所には下流側軸受部２４が設けられている。また、下側の第２壁部２２において、吹出口１４から上流側へ僅かに離れた２箇所には、下流側軸受部２５がそれぞれ設けられている。両下流側軸受部２５は、第２方向については、中央部と、一方（図１の右方）の第１壁部２１の近傍とに設けられている。
【００３５】
各第１壁部２１の複数箇所には上流側軸受部２６が設けられている。第１壁部２１毎の複数の上流側軸受部２６は、通風方向については、上流側リテーナ１１と下流側リテーナ１２との境界部分に位置し、第１方向については、互いに略等間隔で離れた箇所に位置している。
【００３６】
＜下流側フィン群＞
図２、図８〜図１０に示すように、下流側フィン群は、屈曲状の断面を有し、かつ第１方向へ延びる下流側フィン３１と、非屈曲状の断面を有し、第１方向へ延びる下流側フィン３２とからなる。各下流側フィン３１，３２は、第１方向についての両方の端面から外方へ向けて突出する下流側フィン軸３３を有している。下流側フィン３１，３２毎の両下流側フィン軸３３は、下流側軸受部２４，２５により両第２壁部２２に対し、第２方向への傾動可能に支持されている。
【００３７】
図２及び図７に示すように、各下流側フィン３１，３２の上部において、下流側フィン軸３３から上流側へ偏倚した箇所には、上方へ延びる連結軸３４が設けられている。下流側フィン３１，３２毎の連結軸３４は、第２方向に延びる長尺状の下流側連結ロッド３５によって連結されている。そして、これらの下流側フィン３１，３２、下流側フィン軸３３、連結軸３４、下流側連結ロッド３５等により、下流側フィン３１を下流側フィン３２に同期した状態で傾動させるリンク機構が構成されている。
【００３８】
下流側フィン３２において、下流側フィン軸３３の軸線方向についての中間部にはゴム状弾性体３６が取付けられている。ゴム状弾性体３６は、後述する操作ノブ７０に接触することにより、同操作ノブ７０のスライド操作時に操作荷重を付与するためのものである。
【００３９】
＜上流側フィン群＞
上流側フィン群は、１つの特定上流側フィン４１と、複数（４つ）の通常上流側フィン４２〜４５とからなる。これらの特定上流側フィン４１及び通常上流側フィン４２〜４５は、両下流側フィン３１，３２よりも上流側において、第１方向に配列されている。特定上流側フィン４１は、通風路２０において第１方向についての略中央部に配置されている。
【００４０】
複数の通常上流側フィン４２〜４５を区別するために、特定上流側フィン４１の上下両隣に位置する通常上流側フィン４３，４４の一方（ここでは、下方の通常上流側フィン）を隣接通常上流側フィン４４という。特定上流側フィン４１を挟んで隣接通常上流側フィン４４から遠ざかる側に位置する通常上流側フィン、すなわち、特定上流側フィン４１よりも上側に位置する２つの通常上流側フィンを第１通常上流側フィン４２，４３という。また、隣接通常上流側フィン４４を挟んで特定上流側フィン４１から遠ざかる側に位置する１つの通常上流側フィン、すなわち、隣接通常上流側フィン４４よりも下側に位置する１つの通常上流側フィンを第２通常上流側フィン４５というものとする。
【００４１】
なお、第１通常上流側フィン４２，４３、隣接通常上流側フィン４４及び第２通常上流側フィン４５を特に区別する必要がない場合には、これらを単に「通常上流側フィン４２〜４５」と記載するものとする。また、特定上流側フィン４１及び通常上流側フィン４２〜４５を特に区別する必要がない場合には、これらを単に「上流側フィン４１〜４５」と記載するものとする。
【００４２】
特定上流側フィン４１及び各通常上流側フィン４２〜４５は、共通する構造として、第２方向及び通風方向にそれぞれ延びる板状部４６を有している。各板状部４６は、第２方向にも通風方向にも同程度の寸法を有している。
【００４３】
各板状部４６の第２方向についての両方の端面からは、上流側フィン軸４７〜５１がそれぞれ同方向についての外方に向けて突出している。ここで、各上流側フィン軸４７〜５１を区別するために、特定上流側フィン４１に対応するものを上流側フィン軸４７といい、各通常上流側フィン４２〜４５に対応するものを、それぞれ上流側フィン軸４８，４９，５０，５１というものとする。
【００４４】
各上流側フィン軸４７〜５１は、通風方向については、各板状部４６の略中央部に位置している。特定上流側フィン４１の両上流側フィン軸４７、及び各通常上流側フィン４２〜４５の両上流側フィン軸４８〜５１は、上述した上流側軸受部２６により両第１壁部２１に対し、第１方向への傾動可能に支持されている。
【００４５】
通常上流側フィン４２〜４５がそれぞれ一部品からなるのに対し、特定上流側フィン４１は、図３及び図４に示すように、フィン本体５４及び伝達体６０に分割されている。フィン本体５４は、板状部４６及び上流側フィン軸４７に加え、一対の突片５５及び一対の係合部を有している。板状部４６の下流端には、上流側へ向けて凹む凹部５６が形成されている。この凹部５６は、後述する操作ノブ７０が下流側フィン３２に沿って下流側フィン軸３３の軸線方向（略上下方向）へスライド操作された場合に、フォーク部７１の板状部４６との干渉を回避するために設けられている。
【００４６】
両突片５５は、板状部４６の第２方向についての両側部に設けられている。両突片５５は、板状部４６において上流側フィン軸４７よりも下流側となる箇所から上方へ突出している。各係合部は、突片５５の下流端上部から第２方向についての外方へ突出する係合突部５７によって構成されている。
【００４７】
伝達体６０は、ケース１０の各第１壁部２１の内側近傍に配置されて板状部４６を上流側フィン軸４７の軸線方向についての両側から挟み込む一対の傾動板部６１を備えている。両傾動板部６１の下流端部の間には、伝達軸部６２が上流側フィン軸４７に平行に架け渡されている。
【００４８】
各傾動板部６１の上流端には、同傾動板部６１から第２方向についての外方へ突出する支軸６３が設けられている。そして、伝達体６０は、上流側フィン軸４７から上流側へ偏倚した箇所で両支軸６３によりケース１０の両第１壁部２１に傾動可能に支持されている。
【００４９】
各傾動板部６１において、伝達軸部６２と支軸６３との間には、被係合部としての長孔６４があけられている。各長孔６４は支軸６３に向けて延びており、この長孔６４に係合突部５７が移動可能に係合されている。
【００５０】
また、各傾動板部６１において、支軸６３と長孔６４との間には、同傾動板部６１の上端縁から下方へ円弧状に延びる切欠き部６５が設けられており、ここに上流側フィン軸４７が移動可能に配置されている。切欠き部６５は、上流側フィン軸４７と傾動板部６１との干渉を回避するために設けられている。
【００５１】
さらに、図６（Ａ）には、図５から上流側フィン４１〜４５が抜き出されて示されている。図５及び図６（Ａ）に示すように、通常上流側フィン４２〜４５は、それぞれ下流側ほど特定上流側フィン４１に近づくように、特定上流側フィン４１に対し傾斜した状態で配設されている。すなわち、空調用空気Ａの流れ方向の調整時には、第１通常上流側フィン４２，４３は、下流側ほど特定上流側フィン４１に対し上方から近づくように、同特定上流側フィン４１に対し傾斜させられる。ここで、第１通常上流側フィン４２，４３が特定上流側フィン４１に対し傾斜する角度を第１傾斜角度θ１とする。表現を変えると、通風方向について特定上流側フィン４１に平行な直線Ｌ１１に対し、第１通常上流側フィン４２，４３をそれぞれ通る直線Ｌ１２のなす角が、第１傾斜角度θ１である。
【００５２】
また、隣接通常上流側フィン４４及び第２通常上流側フィン４５は、下流側ほど特定上流側フィン４１に下方から近づくように、同特定上流側フィン４１に対し、第１通常上流側フィン４２，４３とは反対側から傾斜させられる。ここで、隣接通常上流側フィン４４及び第２通常上流側フィン４５が特定上流側フィン４１に対し傾斜する角度を第２傾斜角度θ２とする。表現を変えると、直線Ｌ１１に対し、通風方向について隣接通常上流側フィン４４及び第２通常上流側フィン４５をそれぞれ通る直線Ｌ１３のなす角が、第２傾斜角度θ２である。
【００５３】
さらに、図６（Ｂ）には、図６（Ａ）中の上流側フィン軸４７〜５１が抜き出されて、それらの位置関係が示されている。図６（Ａ），（Ｂ）に示すように、特定上流側フィン４１及び隣接通常上流側フィン４４の両上流側フィン軸４７，５０を通る線を基準線Ｌ０とする。
【００５４】
特定上流側フィン４１の上流側フィン軸４７を通り、かつ基準線Ｌ０に対し第１傾斜角度θ１に応じた角度（ここでは同一の角度）だけ下流側（図６（Ａ），（Ｂ）の左側）へ傾斜した直線を第１傾斜線Ｌ２１という。隣接通常上流側フィン４４の上流側フィン軸５０を通り、かつ基準線Ｌ０に対し第２傾斜角度θ２に応じた角度（ここでは同一の角度）だけ下流側へ傾斜した直線を第２傾斜線Ｌ２２というものとする。
【００５５】
第１通常上流側フィン４２，４３の上流側フィン軸４８，４９は第１傾斜線Ｌ２１上に配置されることにより、基準線Ｌ０よりも下流側へ偏倚した箇所に位置している。また、第２通常上流側フィン４５の上流側フィン軸５１は第２傾斜線Ｌ２２上に配置されることにより、基準線Ｌ０よりも下流側へ偏倚した箇所に位置している。
【００５６】
なお、図６（Ｂ）において、隣り合う上流側フィン軸４７〜５１間を繋ぐ屈曲状の太線は、連結ロッド７８に相当する。
＜操作ノブ７０＞
図１及び図７に示すように、操作ノブ７０の主要部は本体部７２によって構成されており、この本体部７２は下流側フィン３２上に、下流側フィン軸３３の軸線方向へのスライド可能に外嵌されている。
【００５７】
本体部７２には、上流側へ向けて延びる一対のフォーク部７１が一体形成されている。両フォーク部７１は、下流側フィン軸３３の軸線方向へ互いに一定間隔離れており、伝達軸部６２を同軸線方向についての両側から挟み込んでいる。
【００５８】
下流側フィン軸３３の軸線方向についての両フォーク部７１の寸法は、本体部７２の同方向の寸法よりも小さい。両フォーク部７１の第２方向（左右方向）についての寸法は、本体部７２の同方向の寸法と同程度である。両フォーク部７１の通風方向についての寸法（長さ）は、本体部７２の上下位置に拘わらず常に伝達軸部６２を挟み込むことのできる最小長さ（伝達軸部６２から外れない長さ）に設定されている。
【００５９】
操作ノブ７０は、通常可動領域Ｒ１と特定可動領域Ｒ２とにおいてスライド操作可能である。通常可動領域Ｒ１は、上流側フィン４１〜４５を傾動させて空調用空気Ａの流れ方向を調整する際に操作ノブ７０がスライド操作される領域である。特定可動領域Ｒ２は、上流側フィン４１〜４５によって通風路２０を閉鎖する際に操作ノブ７０がスライド操作される領域であり、上記通常可動領域Ｒ１の下側に繋がっている。なお、図７での通常可動領域Ｒ１及び特定可動領域Ｒ２は、下流側フィン軸３３の軸線方向についての本体部７２の中央部が変位する領域として示されている。後述する図１２、図１５及び図１８についても同様である。
【００６０】
＜リンク機構７５＞
図１及び図５に示すように、特定上流側フィン４１の一方（図１の右方）の上流側フィン軸４７の一部と、各通常上流側フィン４２〜４５の一方（図１の右方）の上流側フィン軸４８〜５１の一部とは、それぞれ第１壁部２１から第２方向についての外方へ突出している。各上流側フィン軸４７〜５１の外端部には、同上流側フィン軸４７〜５１に直交する方向へ延びる長尺状のアーム７６が形成されている。各アーム７６としては、特定上流側フィン４１及び各通常上流側フィン４２〜４５に共通するものが用いられている。各アーム７６は、各上流側フィン４１〜４５が略水平状態にされたとき、いずれも下流側ほど高くなるように傾斜する。
【００６１】
図２及び図５に示すように、各アーム７６の下流端からは、ピン７７が第２方向についての外方へ突出している。各アーム７６における上流側フィン軸４７〜５１からピン７７までの軸間距離は、特定上流側フィン４１及び通常上流側フィン４２〜４５で共通している。アーム７６毎のピン７７は、ケース１０の第１壁部２１の外側方近傍に配置され、かつ第１方向に延びる連結ロッド７８によって連結されている。そして、これらの上流側フィン４１〜４５、上流側フィン軸４７〜５１、アーム７６、ピン７７及び連結ロッド７８によってリンク機構７５が構成されている。
【００６２】
前記のようにして第１実施形態の空調用レジスタが構成されている。次に、この空調用レジスタの作用について説明する。
この空調用レジスタでは、図１及び図７に示すように、空調用空気Ａは、上流側フィン４１〜４５及び両下流側フィン３１，３２に沿うことで流れ方向を変えられた後、吹出口１４から吹き出す。
【００６３】
操作ノブ７０の本体部７２に対し、下流側フィン３２の厚み方向へ向かう力が加えられると、同下流側フィン３２が両下流側フィン軸３３を支点として同方向へ傾動させられる。この傾動は、連結軸３４及び下流側連結ロッド３５を介して下流側フィン３１の連結軸３４に伝達される。この伝達により、下流側フィン３１が下流側フィン３２に連動して傾動させられる。
【００６４】
この際、両フォーク部７１が伝達軸部６２を挟み込んだ状態で、同伝達軸部６２に沿って第１方向へ移動する。そのため、両フォーク部７１の動きは伝達軸部６２に伝達されない。従って、特定上流側フィン４１はもちろんのこと、全ての通常上流側フィン４２〜４５も傾動させられない。空調用空気Ａは、傾動させられた下流側フィン３１，３２に沿うことで第２方向についての流れ方向を変えられる。
【００６５】
次に、操作ノブ７０が下流側フィン３２に沿って、下流側フィン軸３３の軸線方向へスライド操作された場合の作用について、（ｉ）操作ノブ７０が通常可動領域Ｒ１でスライド操作された場合と、（ii）操作ノブ７０が特定可動領域Ｒ２でスライド操作された場合とに分けて説明する。
【００６６】
（ｉ）操作ノブ７０が通常可動領域Ｒ１でスライド操作された場合
図７及び図１１は、操作ノブ７０が通常可動領域Ｒ１の中間部に位置しているときの空調用レジスタの各部の状態を示している。このときの操作ノブ７０の位置を「基準位置」というものとする。各上流側フィン４１〜４５は、いずれも略水平な状態（両第２壁部２２に略平行な状態）となっている。このときの各上流側フィン４１〜４５の位置を「中立位置」というものとする。空調用空気Ａは、上流側フィン４１〜４５及び両第２壁部２２に沿って流れる。
【００６７】
また、このときには、各アーム７６が下流側ほど高くなる傾斜状態となっている。
図１２〜図１４は、上記基準位置から操作ノブ７０が下流側フィン３２に沿って上方へスライド操作された場合の空調用レジスタの各部の状態を示している。
【００６８】
上記スライド操作に伴い、両フォーク部７１が上方へ移動し、移動方向後側（下側）のフォーク部７１が伝達軸部６２を上方へ押圧する。伝達体６０は、一対の傾動板部６１、伝達軸部６２及び一対の支軸６３が一体となった状態で作動する。
【００６９】
すなわち、フォーク部７１から伝達軸部６２に加わる押圧力は両傾動板部６１に伝達される。この伝達により、伝達体６０が両支軸６３を支点として上方へ傾動させられる。なお、フォーク部７１の上方への移動に伴い、伝達軸部６２のフォーク部７１との接触箇所は上流側へ変化する。伝達体６０の傾動は、長孔６４及び係合突部５７を介してフィン本体５４に伝達される。この伝達により、フィン本体５４が上流側フィン軸４７を支点として中立位置から上方へ傾動させられる。
【００７０】
このように、操作ノブ７０の上方への直線運動が、特定上流側フィン４１の上流側フィン軸４７を支点とした上方への傾動運動に変換される。フィン本体５４の上記傾動に伴い係合突部５７が長孔６４内の上流側へ移動する。また、上流側フィン軸４７が切欠き部６５の奥部へ移動する。
【００７１】
また、特定上流側フィン４１の上記傾動は、リンク機構７５を介して全ての通常上流側フィン４２〜４５に伝達される。すなわち、特定上流側フィン４１の上方への傾動に伴い、アーム７６が上流側フィン軸４７を支点として上方へ傾動し、ピン７７が上流側フィン軸４７の周りを上方へ旋回する。特定上流側フィン４１のピン７７の動きは、連結ロッド７８を介して、全ての通常上流側フィン４２〜４５のピン７７に伝達される。通常上流側フィン４２〜４５毎のピン７７が上流側フィン軸４８〜５１の周りを上方へ旋回し、各アーム７６の傾きが急峻となる。
【００７２】
その結果、特定上流側フィン４１に連動して、全ての通常上流側フィン４２〜４５が上流側フィン軸４８〜５１を支点として上記中立位置から上方へ傾動させられ、下流側ほど高い傾斜状態となる。そのため、空調用空気Ａは、上流側フィン４１〜４５に沿って流れることで、流れ方向を斜め上方へ変えられる。
【００７３】
なお、上記図１２〜図１４の位置から操作ノブ７０が下流側フィン３２に沿って下方へスライド操作された場合には、各上流側フィン４１〜４５は、上記とは逆の動作を行なう。
【００７４】
一方、図１５〜図１７は、上記図１２〜図１４とは逆に、上記基準位置（図７参照）から操作ノブ７０が下流側フィン３２に沿って下方へスライド操作された場合の空調用レジスタの各部の状態を示している。
【００７５】
上記スライド操作に伴い、両フォーク部７１が下方へ移動し、移動方向後側（上側）のフォーク部７１が伝達軸部６２を下方へ押圧する。
伝達軸部６２に加わる押圧力が両傾動板部６１に伝達され、伝達体６０が両支軸６３を支点として下方へ傾動させられる。なお、フォーク部７１の移動に拘わらず、伝達軸部６２のフォーク部７１との接触箇所はほとんど変化しない。両傾動板部６１の傾動が、長孔６４及び係合突部５７を介してフィン本体５４に伝達され、同フィン本体５４が上流側フィン軸４７を支点として中立位置から下方へ傾動させられる。
【００７６】
また、特定上流側フィン４１の傾動に伴い、アーム７６が上流側フィン軸４７を支点として下方へ傾動し、ピン７７が上流側フィン軸４７の周りを下方へ旋回する。このピン７７の動きは、連結ロッド７８を介して、全ての通常上流側フィン４２〜４５のピン７７に伝達される。通常上流側フィン４２〜４５毎のピン７７が上流側フィン軸４８〜５１の周りを下方へ旋回し、各アーム７６の傾きが緩やかとなる。
【００７７】
その結果、特定上流側フィン４１に連動して、全ての通常上流側フィン４２〜４５が上流側フィン軸４８〜５１を支点として中立位置から下方へ傾動させられ、下流側ほど低い傾斜状態となる。そのため、空調用空気Ａは、上流側フィン４１〜４５に沿って流れることで、流れ方向を斜め下方へ変えられる。
【００７８】
なお、上記図１５〜図１７の位置から操作ノブ７０が下流側フィン３２に沿って上方へスライド操作された場合には、各上流側フィン４１〜４５は、上記とは逆の動作を行なう。
【００７９】
ところで、操作ノブ７０が通常可動領域Ｒ１でスライド操作されて、空調用空気Ａの流れ方向が調整されるときには、第１通常上流側フィン４２，４３は、下流側ほど特定上流側フィン４１に上方から近づくように、同特定上流側フィン４１に対し傾斜させられる。また、隣接通常上流側フィン４４及び第２通常上流側フィン４５は、下流側ほど特定上流側フィン４１に下方から近づくように、同特定上流側フィン４１に対し、第１通常上流側フィン４２，４３とは反対側から傾斜させられる。そのため、第１通常上流側フィン４２，４３に沿って流れる空調用空気Ａは、特定上流側フィン４１に沿って流れる空調用空気Ａに収束される。また、隣接通常上流側フィン４４及び第２通常上流側フィン４５に沿って流れる空調用空気Ａは、特定上流側フィン４１に沿って流れる空調用空気Ａに対し、上記第１通常上流側フィン４２，４３に沿って流れる空調用空気Ａとは反対側から収束される。このように収束された空調用空気Ａは、全ての通常上流側フィン４２〜４５が特定上流側フィン４１に対し平行に配置されたものに比べ、ケース１０から早い流速で吹き出すとともに、ケース１０から遠く離れた箇所まで流れる。
【００８０】
（ii）操作ノブ７０が特定可動領域Ｒ２でスライド操作された場合
この場合にも、操作ノブ７０が通常可動領域Ｒ１でスライド操作された場合と同様に、各部が作動する。
【００８１】
操作ノブ７０が特定可動領域Ｒ２の下端までスライド操作されると、空調用レジスタは、図１８〜図２０に示す状態になる。この状態では、伝達軸部６２のフォーク部７１との接触箇所は上流側へ変化する。係合突部５７が長孔６４の上流側部分に位置し、上流側フィン軸４７が切欠き部６５から上方へ抜け出る。各アーム７６が下流側ほど低くなるように傾斜する。これに伴い、上流側フィン４１〜４５が通風方向に対し略直交した状態にされる。
【００８２】
傾動方向後側の上流側フィン４１〜４４の下流部分が、傾動方向前側の上流側フィン４１，４３〜４５の上流部分に重ね合わされる。通風路２０が全ての上流側フィン４１〜４５によって略閉鎖された状態となり、空調用空気Ａの吹出口１４からの吹き出しが大きく規制される。
【００８３】
なお、上記図１８〜図２０の位置から操作ノブ７０が下流側フィン３２に沿って上方へスライド操作された場合には、各上流側フィン４１〜４５は、上記とは逆の動作を行なう。
【００８４】
ここで、一般に、空調用レジスタでは、ケース１０内に配置された部品は、吹出口１４の実開口面積を小さくする要因となり得る。実開口面積は、吹出口１４での空調用空気Ａの通風方向に直交する面において、上記各部品が投影されていない箇所の面積である。操作ノブ７０（本体部７２）の動きを特定上流側フィン４１に伝達する部位も、実開口面積を小さくする要因の１つとなり得る。そして、実開口面積が小さくなるに従い通風抵抗が増し、圧力損失が増大し、騒音が発生する。従って、こうした圧力損失や騒音の発生を抑制するうえでは、吹出口１４での空調用空気Ａの通風方向に直交する面において、ケース１０内の部品が投影される面（投影面）を小さくすることが重要である。
【００８５】
この点、第１実施形態では、一対のフォーク部７１によって伝達軸部６２を挟み込む構成が採られている。そのため、両フォーク部７１には、支軸６３の周りを旋回する伝達軸部６２から外れない長さが通風方向に必要となるものの、伝達軸部６２との係合を確保するために、下流側フィン軸３３の軸線方向や下流側フィン３２の厚み方向に両フォーク部７１を大きくする必要がない。フォーク部７１の投影面が、特許文献１に記載されたラックの投影面よりも小さくなり、フォーク部７１による実開口面積の減少量が少なくなる。これに伴い、空調用空気Ａが通風路２０を通過する際のフォーク部７１による抵抗（通風抵抗）が小さくなる。
【００８６】
また、比較例として、特定上流側フィン４１がフィン本体５４及び伝達体６０に分割されておらず、伝達軸部６２が係合突部５７と同一軸線上に位置していて上流側フィン軸４７を支点として傾動するものを想定する。すると、通風路２０を上流側フィン４１〜４５によって閉鎖する際、閉鎖しないもの（流れ方向を調整するのみのもの）よりも、操作ノブ７０を大きくスライド操作して、フォーク部７１によって伝達軸部６２を上流側フィン軸４７の周りで大きく旋回させることで、特定上流側フィン４１を大きく傾動させる必要がある。この場合、上流側フィン軸４７の周りで伝達軸部６２を旋回させようとする力が小さくなる。そのため、特定可動領域Ｒ２では操作ノブ７０の操作荷重が大きくなる。
【００８７】
この点、特定上流側フィン４１が、フィン本体５４及び伝達体６０に分割されている第１実施形態では、支軸６３が上流側フィン軸４７から偏倚した箇所に位置していることから、操作ノブ７０をスライド操作した場合、伝達軸部６２は支軸６３の周りでも上流側フィン軸４７の周りでも旋回する。また、図２１に示すように、支軸６３は上流側フィン軸４７よりも上流側に位置していることから、支軸６３の周りでの伝達軸部６２の旋回角度γは、上流側フィン軸４７の周りでの係合突部５７の旋回角度δよりも小さくなる。従って、フォーク部７１の少ない移動量でありながら、伝達軸部６２（係合突部５７）が支軸６３の周りで小さな旋回角度γ旋回させられ、係合突部５７が上流側フィン軸４７の周りで大きな旋回角度δ旋回させられる。上流側フィン軸４７を支点としてフィン本体５４が大きな角度傾動させられて、通風路２０が閉鎖される。操作ノブ７０のスライド量が少なくてすむことから、上流側フィン軸４７の周りで伝達軸部６２を旋回させようとする力が小さくなりにくく、同操作ノブ７０を特定可動領域Ｒ２でスライド操作する際の操作荷重が大きくなりにくい。また、操作ノブ７０を通常可動領域Ｒ１でスライド操作する場合の操作荷重と、特定可動領域Ｒ２でスライド操作する場合の操作荷重との差は小さい。
【００８８】
また、第１実施形態では図６（Ａ），（Ｂ）に示すように、第１通常上流側フィン４２，４３の上流側フィン軸４８，４９が第１傾斜線Ｌ２１上に配置され、第２通常上流側フィン４５の上流側フィン軸５１が第２傾斜線Ｌ２２上に配置されている。このことから、通風路２０の閉鎖時には、第１通常上流側フィン４２，４３及び第２通常上流側フィン４５は、全ての上流側フィン軸４７〜５１が同一直線上に配置された場合とは異なる挙動を示す。
【００８９】
図２２は、全ての上流側フィン軸が直線Ｌ１４上に配置された比較例を示している。この空調用レジスタでは、並設方向についての中央部のフィンが特定フィン１０１とされ、残りの複数のフィンが通常フィン１０２，１０３，１０４，１０５とされる。空調用空気Ａの流れ方向の調整時には、特定フィン１０１よりも上側の２つの通常フィン１０２，１０３が、下流側ほど特定フィン１０１に上方から近づくように、同特定フィン１０１に対し傾斜させられる。ここで、特定フィン１０１に平行な直線Ｌ１１に対し、通常フィン１０２，１０３を通る直線Ｌ１２のなす角を第１傾斜角度θ１とする。
【００９０】
また、特定フィン１０１よりも下側の２つの通常フィン１０４，１０５が、下流側ほど特定フィン１０１に下方から近づくように、同特定フィン１０１に対し傾斜させられる。ここで、上記直線Ｌ１１に対し、通常フィン１０４，１０５を通る直線Ｌ１３のなす角を第２傾斜角度θ２とする。
【００９１】
この空調用レジスタによれば、空調用空気Ａは、特定フィン１０１よりも上側の２つの通常フィン１０２，１０３に沿って流れることで、特定フィン１０１に沿って流れる空調用空気Ａに収束される。また、空調用空気Ａは、特定フィン１０１よりも下側の２つの通常フィン１０４，１０５に沿って流れることで、特定フィン１０１に沿って流れる空調用空気Ａに収束される。
【００９２】
ところが、通風路１０６を閉鎖するために、例えば、図２２において二点鎖線で示すように、特定フィン１０１よりも上側の２つの通常フィン１０２，１０３を、互いに接触又は接近する位置まで傾動させた場合、特定フィン１０１と通常フィン１０４との間や、下側の通常フィン１０４，１０５の間に隙間が生じ、ここから空調用空気Ａが漏れ出る。また、図示はしないが、上記とは逆に、下側の２つの通常フィン１０４，１０５を、互いに接触又は接近する位置まで傾動させようとすると、特定フィン１０１とその上側の通常フィン１０３とが干渉したり、上側の２つの通常フィン１０２，１０３が互いに干渉したりする。これは、特定フィン１０１よりも上側の通常フィン１０２，１０３と、下側の通常フィン１０４，１０５とでは、特定フィン１０１に対し互いに反対方向へ傾斜させられていることによる。
【００９３】
しかし、上流側フィン軸４７〜５１が図６（Ａ），（Ｂ）の箇所に配置されることで、すなわち、上流側フィン軸４７，５０が基準線Ｌ０上に配置され、上流側フィン軸４８，４９，５１が基準線Ｌ０よりも下流側に配置されることで、上流側フィン４１〜４５が互いに接触又は接近する位置まで傾動された場合に、上記隙間の大きさが同程度となる。その結果、通風路２０の封鎖時には、図１８に示すように、隣り合う上流側フィン４１〜４５の間で生ずる隙間は極めて小さなものとなる。これは、上流側フィン軸４８，４９，５１が基準線Ｌ０よりも下流側へ偏倚した箇所に配置されることで、上述した上流側フィン４１〜４５間の隙間が相殺されるからである。
【００９４】
従って、特定上流側フィン４１よりも上側の２つの第１通常上流側フィン４２，４３を、互いに接触又は接近する位置まで傾動させた場合、特定上流側フィン４１とその下側の隣接通常上流側フィン４４との間や、同隣接通常上流側フィン４４と第２通常上流側フィン４５との間に生ずる隙間が小さく、空調用空気Ａが隙間から漏れ出にくい。また、上記とは逆に、隣接通常上流側フィン４４及び第２通常上流側フィン４５を、互いに接触又は接近する位置まで傾動させようとした場合に、特定上流側フィン４１とその隣の第１通常上流側フィン４３とが干渉したり、上側の２つの第１通常上流側フィン４２，４３が互いに干渉したりすることが起こりにくい。
【００９５】
以上詳述した第１実施形態によれば、次の効果が得られる。
（１）特定上流側フィン４１の伝達軸部６２を、操作ノブ７０の一対のフォーク部７１によって挟み込み、操作ノブ７０のスライド操作を両フォーク部７１によって伝達軸部６２に伝達し、特定上流側フィン４１を傾動させて通風路２０を閉鎖するようにしている（図１１）。
【００９６】
そのため、操作ノブ７０のスライド操作を特定上流側フィン４１に伝達するための部位（フォーク部７１）を小さくし、同部位に起因する圧力損失及び騒音発生を抑制することができる。
【００９７】
（２）特定上流側フィン４１を、上流側フィン軸４７を有するフィン本体５４と、伝達軸部６２を有し、かつフィン本体５４が連結される伝達体６０とに分割する。伝達体６０を、フィン本体５４の上流側フィン軸４７から上流側へ偏倚した箇所で支軸６３によりケース１０の第１壁部２１に傾動可能に支持している（図３、図４）。
【００９８】
そのため、支軸６３の周りでの伝達軸部６２の旋回角度γを、上流側フィン軸４７の周りでの係合突部５７の旋回角度δよりも小さくすることができる（図２１）。操作ノブ７０を少ない量スライド操作するだけで特定上流側フィン４１を大きな角度傾動させて通風路２０を閉鎖することができる。
【００９９】
（３）上記（２）で説明したように、通風路２０を閉鎖するために、操作ノブ７０を少ない量スライド操作するだけですむことから、上流側フィン軸４７の周りで伝達軸部６２を旋回させようとする力が小さくなって、操作ノブ７０を特定可動領域Ｒ２でスライド操作する際の操作荷重が大きくなる現象を抑制することができる。操作ノブ７０を通常可動領域Ｒ１でスライド操作する場合の操作荷重と、特定可動領域Ｒ２でスライド操作する場合の操作荷重との差を小さくすることができる。その結果、操作ノブ７０の操作フィーリングの向上を図ることができる。
【０１００】
（４）フィン本体５４に係合部として設けた係合突部５７を、伝達体６０に被係合部として設けた孔に係合している（図３、図４）。
そのため、この係合により、フィン本体５４を伝達体６０に連結し、伝達体６０の傾動を被係合部及び係合部を介してフィン本体５４に伝達することができる。
【０１０１】
特に、係合部（係合突部５７）は上流側フィン軸４７の周りを旋回し、支軸６３の周りを旋回する被係合部に対し移動するが、同被係合部を長孔６４によって構成することで、係合部（係合突部５７）の相対移動を許容しつつ、伝達体６０の傾動をフィン本体５４に伝達することができる。
【０１０２】
（５）フィン本体５４を、上流側フィン軸４７の軸線方向についての両側から挟み込む一対の傾動板部６１と、両傾動板部６１間に架け渡された伝達軸部６２と、傾動板部６１毎に設けられてケース１０の第１壁部２１に支持される支軸６３とにより伝達体６０を構成している（図３、図４）。
【０１０３】
そのため、このような簡単な構成でありながら、フォーク部７１の動きをフィン本体５４に伝達する伝達体６０を成立させることができる。
また、傾動板部６１毎に支軸６３を設け、各支軸６３をケース１０の第１壁部２１に支持しているため、伝達体６０を安定した状態で傾動させることができる。
【０１０４】
（６）各傾動板部６１に切欠き部６５を設けている（図３、図４）。
そのため、上流側フィン軸４７を切欠き部６５内に入り込ませることで、支軸６３を支点として傾動する傾動板部６１が上流側フィン軸４７と干渉するのを回避することができる。
【０１０５】
（第２実施形態）
次に、空調用レジスタの第２実施形態について、図２３〜図３０を参照して説明する。最初に、空調用レジスタを構成する各部について、第１実施形態との相違点を中心に説明する。
【０１０６】
＜ケース１０＞
図２３及び図２４に示すように、ケース１０は、上流側リテーナ１１及び下流側リテーナ１２を備えている。吹出口１４を有するベゼル１３は、下流側リテーナ１２と一体に形成されている。吹出口１４は第１実施形態とは異なり、第１方向（上下方向）にも第２方向（左右方向）にも同程度の寸法を有している。
【０１０７】
＜下流側フィン群＞
下流側フィン群は、通風方向よりも第２方向に細長い板状をなし、かつ第１実施形態よりも多い数の下流側フィン３１，３２からなる。ここでは、複数の下流側フィン３１，３２のうち、操作ノブ７０が装着されるものを下流側フィン３２といい、装着されないものを下流側フィン３１というものとする。各下流側フィン３１，３２は、第２方向についての両方の端面から外側方へ向けて突出する下流側フィン軸３３を有しており、この下流側フィン軸３３により、両第１壁部２１に対し、第１方向への傾動可能に支持されている。各下流側フィン３１，３２は、それらの側方近傍に配置された長尺状の下流側連結ロッド（図示略）によって連結されている。
【０１０８】
＜上流側フィン群＞
上流側フィン群は、１つの特定上流側フィン４１と、複数（４つ）の通常上流側フィン４２〜４５とからなる。これらの上流側フィン４１〜４５は、下流側フィン３１，３２よりも上流側において、第２方向に配列されている。特定上流側フィン４１は、通風路２０において第２方向についての中央部に配置されている。各上流側フィン４１〜４５は、通風方向よりも第１方向に細長い板状部４６を有している。各板状部４６の第１方向についての両方の端面からは、上流側フィン軸４７〜５１がそれぞれ同方向についての外方に向けて突出している。各上流側フィン軸４７〜５１は、通風方向については、各板状部４６の略中央部に位置している。上流側フィン４１〜４５は、上流側フィン軸４７〜５１により、両第２壁部２２に対し、第２方向への傾動可能に支持されている。
【０１０９】
図２５に示すように、特定上流側フィン４１は、フィン本体５４及び伝達体６０に分割されている。
フィン本体５４は、板状部４６及び上流側フィン軸４７に加え、一対の突片５５及び一対の係合部を有している。板状部４６の下流端には、上流側へ向けて凹む凹部５６が形成されている。両突片５５は、板状部４６の第１方向についての両端部に設けられている。両突片５５は、板状部４６において上流側フィン軸４７よりも下流側となる箇所から、同板状部４６の厚み方向についての一方（図２５では左下方）へ突出している。各係合部は、突片５５から第１方向についての外方へ突出する係合突部５７によって構成されている。
【０１１０】
伝達体６０は、各第２壁部２２の内側近傍に配置されて板状部４６を上流側フィン軸４７の軸線方向についての両側から挟み込む一対の傾動板部６１を備えている。両傾動板部６１の間には、上流側フィン軸４７に平行に延びる伝達軸部６２が架け渡されている。フィン本体５４が伝達体６０に組付けられた状態では、伝達軸部６２はフィン本体５４よりも下流側に位置する（図２４参照）。
【０１１１】
各傾動板部６１の上流端には、同傾動板部６１から第１方向についての外方へ突出する支軸６３が設けられている。そして、伝達体６０は、フィン本体５４の上流側フィン軸４７から上流側へ偏倚した箇所で両支軸６３によりケース１０の両第２壁部２２に傾動可能に支持されている（図２４参照）。
【０１１２】
各傾動板部６１において、伝達軸部６２と支軸６３との間には、被係合部としての長孔６４があけられている。各長孔６４は支軸６３に向けて延びており、この長孔６４に係合突部５７が移動可能に係合されている。また、各傾動板部６１において、支軸６３と長孔６４との間には円弧状の切欠き部６５が設けられており、ここに上流側フィン軸４７が移動可能に配置されている。
【０１１３】
なお、図２３に示すように、上流側フィン４１〜４５は、互いに平行な状態で配設されている。また、上流側フィン軸４７〜５１は同一線上に位置している。
＜操作ノブ７０＞
図２３及び図２４に示すように、操作ノブ７０の主要部をなす本体部７２は、下流側フィン３２上に、下流側フィン軸３３の軸線方向へのスライド可能に外嵌されている。本体部７２には、下流側フィン軸３３の軸線方向へ互いに一定間隔離れた状態で上流側へ向けて延びて伝達軸部６２を挟み込む一対のフォーク部７１が形成されている。
【０１１４】
＜リンク機構７５＞
図２４及び図２５に示すように、下側の各上流側フィン軸４７〜５１には、下流側へ向けて延びるアーム７６が形成されている。各アーム７６において各上流側フィン軸４７〜５１よりも下流側となる箇所からはピン７７が下方へ突出している。上流側フィン軸４７〜５１からピン７７までの軸間距離は、特定上流側フィン４１及び通常上流側フィン４２〜４５で共通している。各ピン７７は、下側の第２壁部２２の内側近傍に配置され、かつ第２方向に延びる連結ロッド７８によって連結されている。そして、これらの上流側フィン４１〜４５、上流側フィン軸４７〜５１、アーム７６、ピン７７、連結ロッド７８等によってリンク機構７５が構成されている。
【０１１５】
上記以外の構成は第１実施形態と同様である。そのため、第１実施形態で説明したものと同様の要素には同一の符号を付し、重複する説明を省略する。
次に、上記のようにして構成された第２実施形態の空調用レジスタの作用について説明する。
【０１１６】
操作ノブ７０の本体部７２に対し、下流側フィン３２の厚み方向へ向かう力が加えられると、同下流側フィン３２が下流側フィン軸３３を支点として同方向へ傾動させられる。これに連動して全ての下流側フィン３１が同方向へ傾動させられる。この際、両フォーク部７１が伝達軸部６２を挟み込んだ状態で、同伝達軸部６２に沿って第１方向へ移動する。そのため、両フォーク部７１の動きは伝達軸部６２に伝達されず、上流側フィン４１〜４５が傾動させられない。空調用空気Ａは、傾動させられた下流側フィン３１，３２に沿って流れることで第１方向についての流れ方向を変えられる。
【０１１７】
（ｉ）操作ノブ７０が通常可動領域Ｒ１でスライド操作された場合
図２６は、操作ノブ７０が通常可動領域Ｒ１の中間部の基準位置に位置しているときの特定上流側フィン４１及びその周辺部分を示している。基準位置では、各上流側フィン４１〜４５がいずれも中立位置で第１壁部２１に略平行な状態となっている。空調用空気Ａは、上流側フィン４１〜４５及び両第１壁部２１に対し略平行に流れる。
【０１１８】
図２７は、上記基準位置から操作ノブ７０が左方へスライド操作された場合の特定上流側フィン４１及びその周辺部分を示している。
上記スライド操作に伴い、両フォーク部７１が左方へ移動させられる。伝達軸部６２に対し、移動方向後側（右側）のフォーク部７１が接触し、同伝達軸部６２を左方へ押圧する。この際、伝達体６０は、一対の傾動板部６１、伝達軸部６２及び一対の支軸６３が一体となった状態で作動する。
【０１１９】
すなわち、上記のように伝達軸部６２がフォーク部７１によって押圧されると、同フォーク部７１から伝達軸部６２に加わる押圧力は両傾動板部６１に伝達される。この伝達により、伝達体６０が両支軸６３を支点として時計回り方向へ傾動させられる。なお、フォーク部７１の上記移動に伴い、伝達軸部６２のフォーク部７１との接触箇所は上流側へ変化する。伝達体６０の傾動は、長孔６４及び係合突部５７を介してフィン本体５４に伝達される。この伝達により、フィン本体５４が上流側フィン軸４７を支点として時計回り方向へ傾動させられる。
【０１２０】
このように、操作ノブ７０の左方への直線運動が、特定上流側フィン４１の上流側フィン軸４７を支点とした時計回り方向への傾動運動に変換される。フィン本体５４の上記傾動に伴い上流側フィン軸４７が切欠き部６５の奥部へ移動する。
【０１２１】
また、特定上流側フィン４１の上記傾動は、リンク機構７５を介して全ての通常上流側フィン４２〜４５に伝達される。その結果、特定上流側フィン４１に連動して、全ての通常上流側フィン４２〜４５が上流側フィン軸４８〜５１を支点として時計回り方向へ傾動させられて傾斜した状態となる。そのため、空調用空気Ａは、上流側フィン４１〜４５に沿って流れることで、流れ方向を斜め左方へ変えられる。
【０１２２】
なお、図２７の位置から操作ノブ７０が右方へスライド操作された場合には、各上流側フィン４１〜４５は、上記とは逆の動作を行なう。
一方、図２８は、上記図２７とは逆に、上記基準位置（図２６参照）から操作ノブ７０が右方へスライド操作された場合の特定上流側フィン４１及びその周辺部分を示している。
【０１２３】
操作ノブ７０の上記スライド操作に伴い、両フォーク部７１が右方へ移動させられる。伝達軸部６２が、移動方向後側（左側）のフォーク部７１によって右方へ押圧される。伝達体６０が両支軸６３を支点として反時計回り方向へ傾動させられる。上記傾動に伴い、上流側フィン軸４７の切欠き部６５における位置が入口側へ変化する。
【０１２４】
伝達体６０の傾動は、長孔６４及び係合突部５７を介してフィン本体５４に伝達されて、同フィン本体５４が上流側フィン軸４７を支点として反時計回り方向へ傾動させられる。また、特定上流側フィン４１の上記傾動は、リンク機構７５を介して全ての通常上流側フィン４２〜４５に伝達される。特定上流側フィン４１に連動して、全ての通常上流側フィン４２〜４５が上流側フィン軸４８〜５１を支点として反時計回り方向へ傾動させられて傾斜状態となる。そのため、空調用空気Ａは、上流側フィン４１〜４５に沿って流れることで、流れ方向を斜め右方へ変えられる。
【０１２５】
なお、上記図２８の位置から操作ノブ７０が左方へスライド操作された場合には、各上流側フィン４１〜４５は、上記とは逆の動作を行なう。
ところで、操作ノブ７０が操作されて、空調用空気Ａの流れ方向が調整されるときには、各上流側フィン４１〜４５は、互いに略平行な状態となる。そのため、上述した第１実施形態とは異なり、通常上流側フィン４２〜４５に沿って流れる空調用空気Ａは、特定上流側フィン４１に沿って流れる空調用空気Ａに収束されない。
【０１２６】
（ii）操作ノブ７０が特定可動領域Ｒ２でスライド操作された場合
この場合にも、操作ノブ７０が通常可動領域Ｒ１でスライド操作された場合と同様に、各部が作動する。
【０１２７】
操作ノブ７０が、特定可動領域Ｒ２のうち通常可動領域Ｒ１から遠い側の端部までスライド操作されると、空調用レジスタは図２９に示す状態になる。この状態では、伝達軸部６２のフォーク部７１との接触箇所は上流側へ変化する。係合突部５７の長孔６４における位置は上流側部分に変化する。上流側フィン軸４７は切欠き部６５から抜け出る。上流側フィン４１〜４５は通風方向に対し略直交した状態にされる。
【０１２８】
傾動方向後側の上流側フィン４１〜４４の下流部分が、傾動方向前側の上流側フィン４１，４３〜４５の上流部分に重ね合わされる。通風路２０が全ての上流側フィン４１〜４５によって略閉鎖された状態となり、空調用空気Ａの吹出口１４からの吹き出しが大きく規制される。
【０１２９】
なお、上記図２９の位置から操作ノブ７０が下流側フィン３２に沿って左方へスライド操作された場合には、各上流側フィン４１〜４５は、上記とは逆の動作を行なう。
第２実施形態でも第１実施形態と同様に、一対のフォーク部７１によって伝達軸部６２を挟み込む構成が採られている。そのため、両フォーク部７１には、支軸６３の周りを旋回する伝達軸部６２から外れない長さが通風方向に必要となるものの、伝達軸部６２との係合を確保するために、下流側フィン軸３３の軸線方向や下流側フィン３２の厚み方向に両フォーク部７１を大きくする必要がない。空調用空気Ａが通風路２０を通過する際のフォーク部７１による抵抗（通風抵抗）が小さくなる。従って、操作ノブ７０のスライド操作を特定上流側フィン４１に伝達するための部位（フォーク部７１）に起因する圧力損失及び騒音発生が抑制される。
【０１３０】
図３０は、図２１と同様、操作ノブ７０がスライド操作された場合の作用を説明する図であり、支軸６３の周りでの伝達軸部６２の旋回角度γと、上流側フィン軸４７の周りでの係合突部５７の旋回角度δとを比較して示している。この図３０に示すように、特定上流側フィン４１がフィン本体５４及び伝達体６０に分割されていて、支軸６３が上流側フィン軸４７から上流側へ偏倚した箇所に位置している第２実施形態では、操作ノブ７０をスライド操作した場合、伝達軸部６２は支軸６３の周りでも上流側フィン軸４７の周りでも旋回する。また、支軸６３の周りでの伝達軸部６２の旋回角度γは、上流側フィン軸４７の周りでの係合突部５７の旋回角度δよりも小さくなる。従って、フォーク部７１の少ない移動量で、伝達軸部６２（係合突部５７）が支軸６３の周りで小さな旋回角度γ旋回させられ、係合突部５７が上流側フィン軸４７の周りで大きな旋回角度δ旋回させられて通風路２０が閉鎖される。
【０１３１】
また、操作ノブ７０のスライド量が少なくてすむことから、上流側フィン軸４７の周りで伝達軸部６２を旋回させようとする力が小さくなりにくく、同操作ノブ７０を特定可動領域Ｒ２でスライド操作する際の操作荷重が大きくなりにくい。また、操作ノブ７０を通常可動領域Ｒ１でスライド操作する場合の操作荷重と、特定可動領域Ｒ２でスライド操作する場合の操作荷重との差は小さい。
【０１３２】
従って、第２実施形態によれば、上述した（１）〜（６）と同様の効果が得られる。
なお、上記実施形態は、これを以下のように変更した変形例として実施することもできる。
【０１３３】
＜下流側フィン群について＞
・下流側フィン群を構成する下流側フィンの数が上記第１及び第２各実施形態とは異なる数に変更されてもよい。この場合の下流側フィンの最小数は「１」である。
【０１３４】
＜通常上流側フィン４２〜４５について＞
・通常上流側フィン４２〜４５は、複数であることを条件に、上記各実施形態とは異なる数に変更されてもよい。
【０１３５】
＜係合部及び被係合部について＞
・伝達体６０に設けられる被係合部として、傾動板部６１を貫通する上記長孔６４に代えて、傾動板部６１の内側の面において開口する凹部が設けられ、この凹部にフィン本体５４の係合突部５７が係合されてもよい。
【０１３６】
・第１及び第２実施形態とは逆に、フィン本体５４に、係合部として孔又は凹部が設けられ、伝達体６０に、被係合部として係合突部が設けられ、係合部が被係合部に係合されることで、フィン本体５４が伝達体６０に連結されてもよい。
【０１３７】
＜適用箇所について＞
・上記空調用レジスタは、車室内においてインストルメントパネルとは異なる箇所、例えばダッシュボードに設けられる空調用レジスタにも適用可能である。
【０１３８】
・上記空調用レジスタは、空調装置から送られてきて室内に吹き出す空調用空気の向きをフィンによって調整し、吹き出しをフィンによって遮断することのできるものであれば、車両に限らず広く適用可能である。
【０１３９】
＜その他＞
・上記空調用レジスタは、第１実施形態とは異なり、吹出口１４が横長となるように配置される薄型の空調用レジスタにも適用可能である。
【０１４０】
その他、前記各実施形態から把握できる技術的思想について、それらの効果とともに記載する。
（Ａ）請求項３に記載の空調用レジスタにおいて、前記被係合部は長孔からなり、前記係合部は前記長孔に対し移動可能に係合される係合突部からなる。
【０１４１】
係合部は上流側フィン軸の周りを旋回し、支軸の周りを旋回する被係合部に対し移動するが、同被係合部を長孔によって構成することで、係合突部の相対移動を許容しつつ伝達体の傾動をフィン本体に伝達することができる。
【０１４２】
（Ｂ）請求項４に記載の空調用レジスタにおいて、前記傾動板部には切欠き部が形成されている。
上記の構成によれば、フィン本体の上流側フィン軸を切欠き部内に入り込ませることで、支軸を支点として傾動する傾動板部が上流側フィン軸と干渉することが回避される。
【符号の説明】
【０１４３】
１０…ケース、２０…通風路、３１，３２…下流側フィン、３３…下流側フィン軸、４１…特定上流側フィン、４２，４３…第１通常上流側フィン（通常上流側フィン）、４４…隣接通常上流側フィン（通常上流側フィン）、４５…第２通常上流側フィン（通常上流側フィン）、４７，４８，４９，５０，５１…上流側フィン軸、５４…フィン本体、５７…係合突部（係合部）、６０…伝達体、６１…傾動板部、６２…伝達軸部、６３…支軸、６４…長孔（被係合部、孔）、７０…操作ノブ、７１…フォーク部、Ａ…空調用空気。
【図１】
2014111428.tif 000003
【図２】
2014111428.tif 000004
【図３】
2014111428.tif 000005
【図４】
2014111428.tif 000006
【図５】
2014111428.tif 000007
【図６】
2014111428.tif 000008
【図７】
2014111428.tif 000009
【図８】
2014111428.tif 000010
【図９】
2014111428.tif 000011
【図１０】
2014111428.tif 000012
【図１１】
2014111428.tif 000013
【図１２】
2014111428.tif 000014
【図１３】
2014111428.tif 000015
【図１４】
2014111428.tif 000016
【図１５】
2014111428.tif 000017
【図１６】
2014111428.tif 000018
【図１７】
2014111428.tif 000019
【図１８】
2014111428.tif 000020
【図１９】
2014111428.tif 000021
【図２０】
2014111428.tif 000022
【図２１】
2014111428.tif 000023
【図２２】
2014111428.tif 000024
【図２３】
2014111428.tif 000025
【図２４】
2014111428.tif 000026
【図２５】
2014111428.tif 000027
【図２６】
2014111428.tif 000028
【図２７】
2014111428.tif 000029
【図２８】
2014111428.tif 000030
【図２９】
2014111428.tif 000031
【図３０】
2014111428.tif 000032